(57)【特許請求の範囲】
【請求項１】
光源と、
前記光源から射出された光を、画像情報に応じて画像光に変調する光変調装置と、
前記光変調装置で変調された前記画像光を投写する投写光学系と、
前記画像情報に基づく画像を複数の四辺形領域に分割する四辺形分割部と、
前記四辺形分割部により分割された各四辺形領域の頂点を前記画像に表示する第１の表示部と、
入力操作を受け付ける操作受付部と、
前記頂点のうちの１つを選択制御点として選択させる選択部と、
前記選択制御点を、前記入力操作に基づいて移動させる移動部と、
移動前の選択制御点を頂点の１つとして含んでいた四辺形領域を、前記移動部によって移動された選択制御点を頂点に含む形状に変形し、変形前の四辺形領域に対応する画像情報を変形された四辺形領域に収まるように補正する画像補正部と、
前記選択部が前記選択制御点を選択させる場合に、前記選択制御点の選択を促す第１のＯＳＤ画像を前記画像に表示する第２の表示部と、
を備え、
前記第２の表示部は、前記選択制御点に重ならないように、前記画像内における前記第１のＯＳＤ画像の表示位置を変更することを特徴とするプロジェクター。
【請求項２】
請求項１に記載のプロジェクターであって、
前記第１の表示部は、前記四辺形領域の辺を表示することを特徴とするプロジェクター。
【請求項３】
請求項１に記載のプロジェクターであって、
前記四辺形分割部は、前記四辺形領域の大きさを変更可能とすることを特徴とするプロジェクター。
【請求項４】
請求項２に記載のプロジェクターであって、
前記第１の表示部は、前記四辺形領域の辺の表示色を変更可能とすることを特徴とするプロジェクター。
【請求項５】
請求項１に記載のプロジェクターであって、
前記第１の表示部は、前記選択部によって選択された前記選択制御点を、選択前の状態と異なるように表示することを特徴とするプロジェクター。
【請求項６】
請求項１または２に記載のプロジェクターであって、
前記第１の表示部は、前記四辺形領域の頂点または辺の少なくともいずれか一方の表示を非表示に変更可能とすることを特徴とするプロジェクター。
【請求項７】
請求項１に記載のプロジェクターであって、
前記第１の表示部は、前記画像情報に基づく前記画像を単色の画像に変更可能とすることを特徴とするプロジェクター。
【請求項８】
光源と、
前記光源から射出された光を、画像情報に応じて画像光に変調する光変調装置と、
前記光変調装置で変調された前記画像光を投写する投写光学系と、
前記画像情報に基づく画像を複数の四辺形領域に分割する四辺形分割部と、
前記四辺形分割部により分割された各四辺形領域の頂点を前記画像に表示する第１の表示部と、
入力操作を受け付ける操作受付部と、
前記頂点のうちの１つを選択制御点として選択させる選択部と、
前記選択制御点を、前記入力操作に基づいて移動させる移動部と、
移動前の選択制御点を頂点の１つとして含んでいた四辺形領域を、前記移動部によって移動された選択制御点を頂点に含む形状に変形し、変形前の四辺形領域に対応する画像情報を変形された四辺形領域に収まるように補正する画像補正部と、
前記選択部によって前記選択制御点が選択された場合に、前記選択制御点の移動操作を促す第２のＯＳＤ画像を前記画像に表示する第３の表示部と、
を備え、
前記第２のＯＳＤ画像には、前記選択制御点の初期位置からの移動量が表示されることを特徴とするプロジェクター。
【請求項９】
光源と、前記光源から射出された光を、画像情報に応じて画像光に変調する光変調装置と、前記光変調装置で変調された前記画像光を投写する投写光学系と、操作を受け付ける操作受付部とを備えたプロジェクターの制御方法であって、
前記画像情報に基づく画像を複数の四辺形領域に分割する四辺形分割ステップと、
前記四辺形分割ステップによって分割された各四辺形領域の頂点を前記画像に表示する第１の表示ステップと、
前記頂点のうちの１つを選択制御点として選択させる選択ステップと、
前記選択制御点を、前記操作に基づいて移動させる移動ステップと、
移動前の選択制御点を頂点の１つとして含んでいた四辺形領域を、前記移動ステップにおいて移動された選択制御点を頂点に含む形状に変形し、変形前の四辺形領域に対応する画像情報を変形された四辺形領域に収まるように補正する画像補正ステップと、
を備え、
前記第１の表示ステップの後であって、前記選択制御点が選択される前に、前記選択制御点の選択を促す第１のＯＳＤ画像を前記画像に表示する第１のＯＳＤ画像表示ステップをさらに有し、
前記第１のＯＳＤ画像表示ステップでは、前記選択制御点に重ならないように、前記画像内における前記第１のＯＳＤ画像の表示位置を変更することを特徴とするプロジェクターの制御方法。
【請求項１０】
光源と、前記光源から射出された光を、画像情報に応じて画像光に変調する光変調装置と、前記光変調装置で変調された前記画像光を投写する投写光学系と、操作を受け付ける操作受付部とを備えたプロジェクターの制御方法であって、
前記画像情報に基づく画像を複数の四辺形領域に分割する四辺形分割ステップと、
前記四辺形分割ステップによって分割された各四辺形領域の頂点を前記画像に表示する第１の表示ステップと、
前記頂点のうちの１つを選択制御点として選択させる選択ステップと、
前記選択制御点を、前記操作に基づいて移動させる移動ステップと、
移動前の選択制御点を頂点の１つとして含んでいた四辺形領域を、前記移動ステップにおいて移動された選択制御点を頂点に含む形状に変形し、変形前の四辺形領域に対応する画像情報を変形された四辺形領域に収まるように補正する画像補正ステップと、
を備え、
前記選択制御点が選択された場合に、前記選択制御点の移動操作を促す第２のＯＳＤ画像を前記画像に表示する第２のＯＳＤ画像表示ステップをさらに有し、
前記第２のＯＳＤ画像表示ステップでは、前記第２のＯＳＤ画像に、前記選択制御点の初期位置からの移動量が表示されることを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、コンピューターのユーザーインターフェース画面上で、プロジェクターから投写する投写画像を幾何学的に補正する方法が知られている。例えば、補助線を利用した幾何学補正インターフェースにおいて、コンピューター側のアプリケーションにより、ユーザーインターフェース画面のエリアを、擬似的に縮小表示することによって、仮想補正エリアを設け、画面外に出てしまった補助線の補正や、プロジェクターのパネルサイズよりも解像度の低いディスプレイであっても、補助線を利用した補正を行うことを可能にするものが知られている（特許文献１）。このような補正方法によれば、例えば、スクリーン等の投写面に凹凸があり、投写画像に歪が生じる場合や、複数のプロジェクターから投写された画像をスタック投写やエッジブレンディングした際に画像のずれが生じる場合などに、投写画像を補正することができる。
【先行技術文献】
【特許文献】
【０００３】
【特許文献１】特許第３８４５３８６号公報
【発明の概要】
【発明が解決しようとする課題】
【０００４】
しかしながら、特許文献１の補正方法では、プロジェクターの投写画像の幾何学的補正をするために、補正用アプリケーションを内蔵したコンピューターを利用しなければならなかった。このため、プロジェクター単体では、補正を行うことができなかった。また、画像の補正を行う際には、ユーザーは、コンピューターのディスプレイ画面（画像）と、プロジェクターから投写される投写画像とを見比べながら補正しなければならなかった。このため、投写画像の幾何学的補正（形状補正）を、単体で操作性良く行うことができるプロジェクターが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源と、前記光源から射出された光を、画像情報に応じて画像光に変調する光変調装置と、前記光変調装置で変調された前記画像光を投写する投写光学系と、前記画像情報に基づく前記画像を複数の四辺形領域に分割する四辺形分割部と、前記四辺形分割部により分割された各四辺形領域の頂点を前記画像に表示する第１の表示部と、入力操作を受け付ける操作受付部と、前記頂点のうちの１つを選択制御点として選択させる選択部と、前記選択制御点を、前記入力操作に基づいて移動させる移動部と、移動前の選択制御点を頂点の１つとして含んでいた四辺形領域を、前記移動部によって移動された選択制御点を頂点に含む形状に変形し、変形前の四辺形領域に対応する画像情報を変形された四辺形領域に収まるように補正する画像補正部と、を備えることを特徴とする。
【０００７】
このようなプロジェクターによれば、四辺形分割部は、画像情報に基づく画像を複数の四辺形領域に分割する。第１の表示部は、複数の四辺形領域の頂点を画像に表示する。選択部は、頂点のうちの１つを選択制御点として選択させる。移動部は、操作受付部が受け付ける入力操作に基づいて選択制御点を移動する。画像補整部は、移動前の選択制御点を頂点の１つとして含んでいた四辺形領域を、移動された選択制御点を頂点に含む形状に変形する。そして、変形前の四辺形領域に対応する画像情報を変形された四辺形領域に収まるように補正する。これにより、ユーザーは、選択制御点（頂点）を移動させることで、画像情報を幾何学的に補正することができる。そして、プロジェクターは、補正された画像情報に基づいた画像光を投写する。よって、画像情報に基づく画像の幾何学的な形状補正を、プロジェクター単体で行うことが可能になる。
【０００８】
［適用例２］上記適用例に係るプロジェクターにおいて、前記第１の表示部は、前記四辺形領域の辺を表示することを特徴とする。
【０００９】
このようなプロジェクターによれば、第１の表示部は、四辺形領域の辺を表示する。これにより、画像上に格子状の線が表示されるため、四辺形領域の視認性が向上し、ユーザーは、画像情報の幾何学的な補正を容易に行うことができる。
【００１０】
［適用例３］上記適用例に係るプロジェクターにおいて、前記四辺形分割部は、前記四辺形領域の大きさを変更可能とすることを特徴とする。
【００１１】
このようなプロジェクターによれば、四辺形分割部は、四辺形領域の大きさを変更可能とする。これにより、ユーザーは、四辺形領域の大きさを所望の大きさに変更して、画像情報を幾何学的に補正することができる。
【００１２】
［適用例４］上記適用例に係るプロジェクターにおいて、前記第１の表示部は、前記四辺形領域の辺の表示色を変更可能とすることを特徴とする。
【００１３】
このようなプロジェクターによれば、四辺形領域の辺の表示色を変更することができる。これにより、画像情報に基づく画像に応じて、四辺形領域の辺の色を視認性のよい表示色に変更することができる。
【００１４】
［適用例５］上記適用例に係るプロジェクターにおいて、前記第１の表示部は、前記選択部によって選択された前記選択制御点を、選択前の状態と異なるように表示することを特徴とする。
【００１５】
このようなプロジェクターによれば、選択制御点は選択前と異なるように表示される。これにより、ユーザーは選択制御点を選択したことを認識可能になる。
【００１６】
［適用例６］上記適用例に係るプロジェクターにおいて、前記選択部が前記選択制御点を選択させる場合に、前記選択制御点の選択を促す第１のＯＳＤ画像を前記画像に表示する第２の表示部をさらに有することを特徴とする。
【００１７】
このようなプロジェクターによれば、選択制御点の選択を促す第１のＯＳＤ（オンスクリーンディスプレイ）画像が表示される。これにより、ユーザーは選択制御点を選択する必要性を認識することができる。
【００１８】
［適用例７］上記適用例に係るプロジェクターにおいて、前記第２の表示部は、前記選択制御点に重ならないように、前記画像内における前記第１のＯＳＤ画像の表示位置を変更することを特徴とする。
【００１９】
このようなプロジェクターによれば、選択制御点に重ならないように、画像内における第１のＯＳＤ画像の表示位置を変更する。これにより、選択制御点と第１のＯＳＤ画像との重複を回避することができる。
【００２０】
［適用例８］上記適用例に係るプロジェクターにおいて、前記選択部によって前記選択制御点が選択された場合に、前記選択制御点の移動操作を促す第２のＯＳＤ画像を前記画像に表示する第３の表示部をさらに有することを特徴とする。
【００２１】
このようなプロジェクターによれば、選択制御点の移動操作を促す第２のＯＳＤ画像が表示される。これにより、ユーザーは選択制御点を移動（位置調整）可能なことを認識することができる。
【００２２】
［適用例９］上記適用例に係るプロジェクターにおいて、前記第２のＯＳＤ画像には、前記選択制御点の初期位置からの移動量が表示されることを特徴とする。
【００２３】
このようなプロジェクターによれば、第２のＯＳＤ画像には、選択制御点のデフォルト位置（初期位置）からの移動量が表示される。これにより、ユーザーは選択制御点をどの程度移動させたのかを認識することができる。
【００２４】
［適用例１０］上記適用例に係るプロジェクターにおいて、前記第１の表示部は、前記四辺形領域の頂点または辺の少なくともいずれか一方の表示を非表示に変更可能とすることを特徴とする。
【００２５】
このようなプロジェクターによれば、少なくとも四辺形領域の頂点または辺を非表示にすることができる。これにより、格子状の線や点が無い状態で画像情報の幾何学的補正を行うことができる。
【００２６】
［適用例１１］上記適用例に係るプロジェクターにおいて、前記第１の表示部は、前記画像情報に基づく前記画像を単色の画像に変更可能とすることを特徴とする。
【００２７】
このようなプロジェクターによれば、画像情報に基づく画像から単色の画像に変更することができる。これにより、画像の幾何学的補正時の四辺形領域の辺の視認性を向上することができる。
【００２８】
［適用例１２］本適用例に係るプロジェクターの制御方法は、光源と、前記光源から射出された光を、画像情報に応じて画像光に変調する光変調装置と、前記光変調装置で変調された前記画像光を投写する投写光学系と、操作を受け付ける操作受付部とを備えたプロジェクターの制御方法であって、前記画像情報に基づく前記画像を複数の四辺形領域に分割する四辺形分割ステップと、前記四辺形分割ステップによって分割された各四辺形領域の頂点を前記画像に表示する第１の表示ステップと、前記頂点のうちの１つを選択制御点として選択させる選択ステップと、前記選択制御点を、前記入力操作に基づいて移動させる移動ステップと、移動前の選択制御点を頂点の１つとして含んでいた四辺形領域を、前記移動部によって移動された選択制御点を頂点に含む形状に変形し、変形前の四辺形領域に対応する画像情報を変形された四辺形領域に収まるように補正する画像補正ステップと、を備えることを特徴とする。
【００２９】
このようなプロジェクターの制御方法によれば、ユーザーは、選択制御点（頂点）を移動させることで、画像情報を幾何学的に補正することができる。そして、プロジェクターは、補正された画像情報に基づいた画像光を投写する。よって、画像情報に基づく画像の幾何学的な形状補正を、プロジェクター単体で行うことが可能になる。
【００３０】
また、上述したプロジェクター、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢメモリー等）等、前記コンピューターが読み取り可能な種々の媒体を利用することができる。
【図面の簡単な説明】
【００３１】
【図１】実施形態に係るプロジェクターの概略構成を示すブロック図。
【図２】プロジェクターのポイント補正メニュー画像の説明図。
【図３】ポイント数設定メニュー画像の説明図。
【図４】ポイント数設定メニュー画像によって選択される四辺形上のポイントと格子線の説明図であり、（ａ）は、「３×３」のポイントの説明図、（ｂ）は、「５×５」のポイントの説明図、（ｃ）は、「９×９」のポイントの説明図。
【図５】色パターン設定メニュー画像の説明図。
【図６】ポイント選択画像の説明図であり、（ａ）は、制御点ガイドが画像の上部にある場合の説明図、（ｂ）は、制御点ガイドが画像の右下部にある場合の説明図。
【図７】ポイント調整画像の説明図。
【図８】ポイント調整画像の説明図であり、（ａ）は、背景画像が表示されている状態の説明図、（ｂ）は、背景画像が単色に切り替えられた状態の説明図、（ｃ）は、格子線および選択制御点ガイドを消去した状態の説明図。
【図９】ポイント調整画像の説明図。
【図１０】プロジェクターによってポイント補正を行う際の処理のフローチャート。
【図１１】ポイント補正が行われた画像を示す平面図。
【図１２】ポイント補正が行われた液晶ライトバルブ上の画素領域を示す平面図。
【発明を実施するための形態】
【００３２】
以下、実施形態について説明する。
【００３３】
（実施形態）
本実施形態では、ユーザーの操作によって、投写画像の形状を補正可能なプロジェクターについて説明する。
【００３４】
図１は、本実施形態に係るプロジェクターの概略構成を示すブロック図である。図１を使用して、プロジェクターの内部構成について説明する。
図１に示すように、プロジェクター１は、画像投写部１０、制御部２０、光源制御部２１、操作受付部２２、操作信号受信部２３、リモコン２４、画像情報入力部３０、画像処理部３１、ＯＳＤ処理部３２、画像補正部３３等を備えている。
【００３５】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は光源装置１１から射出された光を、液晶ライトバルブ１２Ｒ，１２Ｇ，１２Ｂで画像光に変調し、この画像光を投写レンズ１３から投写して投写面Ｓに画像を表示する。本実施形態では、投写面Ｓは「への字」の形状をなしている。
【００３６】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３７】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリックス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００３８】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することにより、プロジェクター１の動作を統括制御する。つまり、制御部２０は、コンピューターとして機能する。
【００３９】
光源制御部２１は、制御部２０の指示に基づいて光源装置１１（光源ランプ１１ａ）の点灯を制御する。具体的には、光源制御部２１は、光源ランプ１１ａに所定の電力を供給することにより光源ランプ１１ａを点灯させるとともに、電力の供給を停止して光源ランプ１１ａを消灯させることができる。また、光源制御部２１は、制御部２０の指示に基づいて光源ランプ１１ａに供給する電力を制御することにより、光源ランプ１１ａの輝度（明るさ）を調整することが可能である。
【００４０】
操作受付部２２は、ユーザーからの入力操作を受け付けるものであり、ユーザーがプロジェクター１に対して各種指示を行うための複数の操作キーを備えている。操作受付部２２が備える操作キーとしては、電源のオン・オフを切り替えるための電源キー、入力された画像信号を切り替えるための入力切替キー、各種設定を行うためのメニュー画像の表示・非表示を切り替えるメニューキー、上下左右に対応する４つの方向キー（上方向キー、下方向キー、左方向キー、右方向キー）、各種設定を決定するための決定キー、操作の取り消し等に用いられるＥＳＣ（Escape）キー、各種設定を初期値に戻すためのＤｅｆａｕｌｔキー等がある。ユーザーが操作受付部２２の各種操作キーを操作（押下）すると、操作受付部２２は、この入力操作を受け付けて、ユーザーの操作内容に応じた操作信号を制御部２０に出力する。
【００４１】
リモコン２４は、操作受付部２２と同様に複数の操作キーを備えている。ユーザーがリモコン２４の各種操作キーを操作すると、リモコン２４は、ユーザーの操作内容に応じた赤外線等の操作信号を発し、操作信号受信部２３がこれを受信して制御部２０に伝達する。ここで、操作受付部２２またはリモコン２４の操作信号を受信する操作信号受信部２３が、特許請求の範囲における操作受付部に相当する。
【００４２】
画像情報入力部３０は、複数の入力端子を備えており、これらの入力端子には、ビデオ再生装置やパーソナルコンピューター等、図示しない外部の画像供給装置から各種形式の画像情報が入力される。画像情報入力部３０は、入力された画像情報を画像処理部３１に出力する。
【００４３】
画像処理部３１は、画像情報入力部３０から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３１は、制御部２０の指示に基づいて、変換した画像情報に対して、明るさ、コントラスト、シャープネス、色合い等の画質を調整するための画質調整処理等を行い、処理後の画像情報をＯＳＤ処理部３２に出力する。
【００４４】
ＯＳＤ処理部３２は、制御部２０の指示に基づいて、入力された画像情報に基づく画像（以降、「入力画像」とも呼ぶ。）上に、メニュー画像やメッセージ画像等のＯＳＤ（オンスクリーンディスプレイ）画像を重畳して表示するための処理を行う。ＯＳＤ処理部３２は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３２は、必要なＯＳＤ画像情報をＯＳＤメモリーから読み出し、入力画像上の所定の位置にＯＳＤ画像が重畳されるように、画像処理部３１から入力される画像情報にこのＯＳＤ画像情報を合成する。ＯＳＤ画像情報が合成された画像情報は、画像補正部３３に出力される。なお、制御部２０からＯＳＤ画像を重畳する旨の指示がない場合には、ＯＳＤ処理部３２は、画像処理部３１から入力される画像情報を、そのまま画像補正部３３に出力する。
【００４５】
本実施形態では、ＯＳＤ処理部３２は、後述するポイント補正を行うための格子線、制御点ガイド、選択制御点ガイド、制御点選択ＯＳＤ画像、制御点調整ＯＳＤ画像等を表示する。
【００４６】
画像補正部３３は、投写面Ｓに凹凸がある場合などに生じる投写画像の歪や、スタック投写やエッジブレンディングによって生じる投写画像のずれ等を補正するための処理（「ポイント補正」処理）を行う。具体的には、画像補正部３３は、制御部２０の指示に基づいて、入力画像を複数の四辺形領域に分割して、それぞれの四辺形領域毎に補正処理を行う。
【００４７】
画像補正部３３は、制御部２０から調整（変形）された四辺形領域の各頂点の位置情報を入力する。そして、画像補正部３３は、各頂点に基づいて四辺形領域を形成する。画像補正部３３が四辺形分割部に相当する。さらに、変形する前の四辺形領域に対応する画像情報（入力画像）を、変形された四辺形領域に収まるように補正する。そして、補正した画像情報を液晶駆動部１４に出力することで、液晶ライトバルブ１２Ｒ，１２Ｇ，１２Ｂの画素領域内に、歪を相殺するような形状の入力画像を形成することが可能になる。また、画素領域の画像形成される領域の外側の画素については、黒色の画素値、つまり、光透過率が最小となる画素値に設定する。このように、ＯＳＤ処理部３２から入力される画像情報を補正する。
【００４８】
なお、制御部２０から歪を補正する旨の指示がない場合には、画像補正部３３は、ＯＳＤ処理部３２から入力される画像情報を、そのまま液晶駆動部１４に出力する。この場合には、画素領域の全域が画像形成の領域となり、画素領域の全域に画像（入力画像）が形成される。
【００４９】
液晶駆動部１４が、画像補正部３３から入力される画像情報に従って液晶ライトバルブ１２Ｒ，１２Ｇ，１２Ｂを駆動すると、液晶ライトバルブ１２Ｒ，１２Ｇ，１２Ｂによって画像情報に応じた画像光に変調され、この画像光が投写レンズ１３から投写される。
【００５０】
次に、プロジェクター１のポイント補正について説明する。
本実施形態のプロジェクター１は、上述したように画像補正部３３によって、画像に対する幾何学的な補正処理を行うことができる。具体的には、操作受付部２２またはリモコン２４に備わるメニューキーによって、ポイント補正メニューが選択されると、プロジェクター１は、ポイント補正メニュー画像を表示する。そして、ポイント補正メニュー画像において調整開始の項目が選択されると、プロジェクター１は、歪を補正する制御点（ポイント）を選択させるためのポイント選択画像を表示する。ポイント選択画像において、ユーザーによって所望の制御点が選択されると、プロジェクター１は、その制御点を移動（位置調整）可能なポイント調整画像を表示する。このポイント調整画像において、ユーザーによって方向キーを操作されると、プロジェクター１は、制御点を移動させて歪を補正する。なお、本実施形態では、入力画像上に２５個の制御点を配置している。
【００５１】
図２は、本実施形態に係るプロジェクター１のポイント補正メニュー画像の説明図である。
図２に示すように、ポイント補正メニュー画像Ｍ１には、ポイント数を設定するための「ポイント数」および現在の設定値、格子線の表示色を設定するための「色パターン」および現在の設定値、調整を開始するための「調整開始」の項目が表示されている。また、図２では「ポイント数」は、背景色が他の項目と異なっており、この項目が選択された状態であることを示している。なお、ポイント補正メニュー画像Ｍ１は、ＯＳＤ処理部３２によって表示される。
【００５２】
ポイント補正メニュー画像Ｍ１が表示された状態では、ユーザーは、上下の方向キーを操作することによって所望の項目を選択することができる。そして、所望の項目を選択した状態で決定キーを操作することにより、調整項目の選択が確定し、当該項目に関する設定画像を表示させることができる。また、ユーザーは、ＥＳＣキーを操作することにより、ポイント補正メニュー画像Ｍ１の表示を終了させることができる。
【００５３】
ポイント補正メニュー画像Ｍ１において、「ポイント数」が選択されると、ポイント数設定メニュー画像が表示される。
図３は、ポイント数設定メニュー画像の説明図である。
図３に示すように、ポイント数設定メニュー画像Ｍ２には、ポイント数の選択候補として「３×３」、「５×５」、および「９×９」の項目が表示されている。図３では「５×５」は、背景色が他の項目と異なっており、この項目が選択された状態であることを示している。なお、ポイント数設定メニュー画像Ｍ２は、ＯＳＤ処理部３２によって表示される。
【００５４】
図４は、ポイント数設定メニュー画像Ｍ２によって選択される四辺形上のポイントと格子線の説明図であり、（ａ）は、「３×３」のポイントの説明図、（ｂ）は、「５×５」のポイントの説明図、（ｃ）は、「９×９」のポイントの説明図である。ここで、ポイント（「制御点ＣＰ」ともいう）とは、入力画像を複数の四辺形領域に分割した際の頂点を表している。図４（ａ）に示すように、入力画像が４つの四辺形領域ＱＤ１（ＱＤ）に分割されている場合は、制御点ＣＰの数は「３×３」となる。また、図４（ｂ）に示すように、入力画像が１６の四辺形領域ＱＤ２（ＱＤ）に分割されている場合は、制御点ＣＰの数は「５×５」となる。図４（ｃ）に示すように、入力画像が６４の四辺形領域ＱＤ３（ＱＤ）に分割されている場合は、制御点ＣＰの数は「９×９」となる。
【００５５】
図３に戻り、ポイント数設定メニュー画像Ｍ２が表示された状態では、ユーザーは、上下の方向キーを操作することによって所望の項目を選択することができる。そして、所望の項目を選択した状態で決定キーを操作することにより、ポイント数の選択を確定し、ポイント数設定メニュー画像Ｍ２の表示を終了し、ポイント補正メニューＭ１に戻ることができる。また、ユーザーは、ＥＳＣキーを操作することにより、ポイント数設定メニュー画像Ｍ２の表示を終了し、ポイント補正メニューＭ１に戻ることができる。
【００５６】
図２に戻り、ポイント補正メニュー画像Ｍ１において、「色パターン」が選択されると、色パターン設定メニュー画像が表示される。
図５は、色パターン設定メニュー画像の説明図である。
図５に示すように、色パターン設定メニュー画像Ｍ３には、ポイント補正を行う画像における格子線の表示色の選択候補として「白」、「赤」、「緑」、および「黄」の項目が表示されている。図５では「白」は、背景色が他の項目と異なっており、この項目が選択された状態であることを示している。なお、色パターン設定メニュー画像Ｍ３は、ＯＳＤ処理部３２によって表示される。
【００５７】
色パターン設定メニュー画像Ｍ３が表示された状態では、ユーザーは、上下の方向キーを操作することによって所望の項目を選択することができる。そして、所望の項目を選択した状態で決定キーを操作することにより、調整項目の選択を確定し、色パターン設定メニュー画像Ｍ３の表示を終了し、ポイント補正メニューＭ１に戻ることができる。また、ユーザーは、ＥＳＣキーを操作することにより、色パターン設定メニュー画像Ｍ３の表示を終了し、ポイント補正メニューＭ１に戻ることができる。
【００５８】
図２に戻り、ポイント補正メニュー画像Ｍ１において、「調整開始」が選択されると、入力画像にポイント選択画像が重畳して投写される。
図６は、ポイント選択画像の説明図であり、（ａ）は、制御点ガイドが画像の上部にある場合の説明図、（ｂ）は、制御点ガイドが画像の右下部にある場合の説明図である。
【００５９】
図６（ａ）に示すように、ポイント選択画像Ｇ２では、制御点ＣＰの数はポイント数設定メニュー画像Ｍ２で選択された「５×５」となっており、１６の四辺形領域ＱＤ４（ＱＤ）に分割されている。そして、四辺形領域ＱＤ４（ＱＤ）の各辺は、色パターン設定メニュー画像Ｍ３で設定された表示色で、格子線ＦＲとして表示されている。格子線ＦＲを表示するＯＳＤ処理部３２が第１の表示部に相当する。
【００６０】
ポイント選択画像Ｇ２では、制御点ＣＰを指し示すための制御点ガイドＰＧＡが表示されている。さらに、制御点選択ＯＳＤ画像ＯＳ１（ＯＳ）が表示されている。制御点選択ＯＳＤ画像ＯＳ１（ＯＳ）が第１のＯＳＤ画像に相当し、制御点選択ＯＳＤ画像ＯＳ１（ＯＳ）を表示するＯＳＤ処理部３２が第２の表示部に相当する。
【００６１】
本実施形態では、制御点ガイドＰＧＡは、制御点ＣＰを囲む正方形として表されている。制御点ガイドＰＧＡは、ユーザーの操作によって、「５×５」の２５点の制御点ＣＰのいずれの位置にでも移動可能となっている。
【００６２】
制御点選択ＯＳＤ画像ＯＳ１は、制御点ガイドＰＧＡの位置情報ＯＳ１１および操作方法を表したＯＳＤ表示である。位置情報ＯＳ１１には、「Ｈ位置」即ち水平方向の位置情報、および「Ｖ位置」即ち垂直方向の位置情報が表されている。「Ｈ位置」、「Ｖ位置」は、それぞれ１から５の数値で表され、制御点ガイドＰＧＡが２５点の制御点のいずれを指し示しているかを表す。
【００６３】
また、制御点選択ＯＳＤ画像ＯＳ１には、ユーザーは、上下、左右の方向キーを操作することによって、制御点ガイドＰＧＡを移動できることが表示されている。さらに、制御点ガイドＰＧＡの位置を選択した状態で決定キーを操作することにより、調整する制御点ＣＰの選択が確定され、当該制御点ＣＰの位置調整が可能になることが表示されている。また、ユーザーは、ＥＳＣキーを操作することにより、ポイント選択画像Ｇ２を表示している状態を終了させる、即ちポイント補正状態を終了させることが表示されている。
【００６４】
図６（ｂ）では、ポイント選択画像Ｇ３は、ポイント選択画像Ｇ２と同様に１６の四辺形領域ＱＤに分割されており、制御点ＣＰの数は「５×５」となっている。ここで、制御点ガイドＰＧＡの位置情報は、「Ｈ位置」が４、「Ｖ位置」が４となっている。このとき、ＯＳＤ処理部３２は、制御点ガイドＰＧＡが制御点選択ＯＳＤ画像ＯＳ２（ＯＳ）に重ならないように、制御点選択ＯＳＤ画像ＯＳ２を画像の左上位置に表示する。このように、ＯＳＤ処理部３２は、制御点ガイドＰＧＡが制御点選択ＯＳＤ画像ＯＳに重ならないように、制御点選択ＯＳＤ画像ＯＳの表示位置を変更する。
【００６５】
次に、ポイント選択画像Ｇ２が表示されている状態において、調整対象の制御点ＣＰの選択が確定され、当該制御点ＣＰ（即ち選択制御点）の位置調整を行う際のポイント調整画像について説明する。
図７は、ポイント調整画像の説明図である。
図７に示すように、ポイント調整画像Ｇ４は、ポイント選択画像Ｇ２と同様に１６の四辺形領域ＱＤに分割されており、制御点ＣＰの数は「５×５」となっている。ポイント調整画像Ｇ４には、さらに、選択制御点ガイドＰＧＢ、および制御点調整ＯＳＤ画像ＯＡ１（ＯＡ）が表示されている。制御点調整ＯＳＤ画像ＯＡ１（ＯＡ）が第２のＯＳＤ画像に相当し、制御点調整ＯＳＤ画像ＯＡ１（ＯＡ）を表示するＯＳＤ処理部３２が第３の表示部に相当する。
【００６６】
選択制御点ガイドＰＧＢは、制御点ガイドＰＧＡの選択が確定された状態を表わしており、本実施形態では、制御点ＣＰ（選択制御点）を二重に囲む正方形として表示されている。選択制御点ガイドＰＧＢを表示するＯＳＤ処理部３２は、第１の表示部に相当する。ここで、選択制御点ガイドＰＧＢが指し示す選択制御点を頂点とする四辺形領域ＱＤは、ＱＤ５、ＱＤ６、ＱＤ７およびＱＤ８となっている。
【００６７】
制御点調整ＯＳＤ画像ＯＡ１は、選択制御点ガイドＰＧＢで選択されている選択制御点の移動方法と移動量を表したＯＳＤ表示である。制御点調整ＯＳＤ画像ＯＡ１には、選択制御点ガイドＰＧＢが指し示している選択制御点が移動可能な方向を示す移動方向ガイドＯＡ１１が表示されている。
【００６８】
また、制御点調整ＯＳＤ画像ＯＡ１には、選択制御点ガイドＰＧＢが指し示している選択制御点の初期位置からの移動量を表す移動量情報ＯＡ１２が表示されている。移動量情報ＯＡ１２には、「Ｈ移動量」即ち水平方向の初期位置からの移動量、および「Ｖ移動量」即ち垂直方向の初期位置からの移動量が表示される。「Ｈ移動量」および「Ｖ移動量」は、それぞれ画素のピクセル数が表される。なお、「Ｈ移動量」および「Ｖ移動量」の表示内容は、画素のピクセル数に限定するものではない。
【００６９】
制御点調整ＯＳＤ画像ＯＡ１には、ユーザーは、上下、左右の方向キーを操作することによって、選択制御点を移動調整できることが表示されている。さらに、ＥＳＣキーを操作することにより、ポイント調整画像Ｇ４が表示されている状態を終了して、ポイント選択画像Ｇ２が表示される状態に戻ることが表示されている。さらに、ユーザーは、Ｄｅｆａｕｌｔキーを操作することで、調整した制御点の位置を初期位置に戻すことが表示されている。さらに、決定キーを操作することにより、ポイント調整画像Ｇ４の表示状態を切り替え可能であることが表示されている。
【００７０】
ここで、ポイント調整画像Ｇ４の表示状態の切り替えについて説明する。ユーザーは、決定キーを押下することで、ポイント調整画像Ｇ４の背景画像を単色に切り替えたり、格子線ＦＲおよび選択制御点ガイドＰＧＢを消去したりすることができる。
図８は、ポイント調整画像の説明図であり、（ａ）は、背景画像が表示されている状態の説明図、（ｂ）は、背景画像が単色に切り替えられた状態の説明図、（ｃ）は、格子線ＦＲおよび選択制御点ガイドＰＧＢを消去した状態の説明図である。
【００７１】
図８（ａ）におけるポイント調整画像Ｇ５では、入力画像である「丸」と「三角形」が背景画像として表示されている。図８（ｂ）におけるポイント調整画像Ｇ６では、入力画像が表示されておらず、単色の背景画像が表示されている。背景画像の色としては、例えば青や黒とするが、これには限定しない。また、図８（ｃ）におけるポイント調整画像Ｇ７では、入力画像である「丸」と「三角形」が背景画像として表示されているが、格子線ＦＲおよび選択制御点ガイドＰＧＢが表示されていない。このように、ユーザーは、決定キーを操作することにより、ポイント調整画像の表示態様を変更することができる。
【００７２】
次に、ポイント調整画像Ｇ４において、選択制御点ガイドＰＧＢのある制御点ＣＰ（即ち選択制御点）を移動した場合の表示について説明する。
図９は、ポイント調整画像の説明図である。
ポイント調整画像Ｇ４が表示されている状態において、ユーザーによって下方向キーが押下され、選択制御点ガイドＰＧＢが指し示している選択制御点が画像下方に移動されると、プロジェクター１は、図９に示すようなポイント調整画像Ｇ８を表示する。
【００７３】
ポイント調整画像Ｇ８では、当該制御点ＣＰを頂点とする四辺形領域ＱＤ５、ＱＤ６、ＱＤ７およびＱＤ８は、画像補正部３３によって変形され、格子線ＦＲもＯＳＤ処理部３２によって変形されている。そして、変形前の四辺形領域ＱＤ５、ＱＤ６、ＱＤ７およびＱＤ８に対応する画像情報が、画像補正部３３によって、変形後の四辺形領域ＱＤ５、ＱＤ６、ＱＤ７およびＱＤ８に収まるように補正される。
【００７４】
制御点調整ＯＳＤ画像ＯＡ２（ＯＡ）の移動量情報には、「Ｈ移動量」の移動量は「０」、「Ｖ移動量」の移動量は「−５」と表示されており、選択制御点が画像の下方に５ピクセル移動した状態を示している。このように、ユーザーは、ポイント調整画像が表示されている状態で、方向キーを操作することにより、画像情報を補正することができる。
【００７５】
次に、プロジェクター１によってポイント補正を行う際の処理について説明する。
図１０は、本実施形態に係るプロジェクター１によってポイント補正を行う際の処理のフローチャートである。
【００７６】
ポイント補正メニュー画像Ｍ１において、「調整開始」が選択されると、制御部２０は、ＯＳＤ処理部３２に指示を出して、ポイント数および色パターンに基づいた格子線ＦＲおよび制御点ガイドＰＧＡを表示する（ステップＳ１０１）。制御点ガイドＰＧＡの初期位置は「Ｈ位置」が１、「Ｖ位置」が１とする。そして、制御部２０は、ＯＳＤ処理部３２に指示を出して、制御点選択ＯＳＤ画像ＯＳを表示させる（ステップＳ１０２）。
【００７７】
制御部２０は、決定キーが押下されたか否かによって、調整する制御点ＣＰ（選択制御点）が決定されたか否かを判断する（ステップＳ１０３）。このようにユーザーに選択制御点を選択させるときの制御部２０、操作受付部２２およびリモコン２４が選択部に相当する。
【００７８】
調整する制御点ＣＰが決定されていれば（ステップＳ１０３：ＹＥＳ）、制御部２０は、ＯＳＤ処理部３２に指示を出して、制御点ガイドＰＧＡを選択制御点ガイドＰＧＢ（即ち二重の正方形の制御点ガイド）に変更して表示させる（ステップＳ１０４）。そして、制御部２０は、ＯＳＤ処理部３２に指示を出して、制御点選択ＯＳＤ画像ＯＳを消去して制御点調整ＯＳＤ画像ＯＡを表示させる（ステップＳ１０５）。
【００７９】
制御部２０は、方向キーによる選択制御点の調整操作が行われたか否かを判断する（ステップＳ１０６）。選択制御点の調整操作が行われていれば（ステップＳ１０６：ＹＥＳ）、制御部２０は、画像補正部３３に指示を出して、調整された選択制御点の位置に基づいて、選択制御点を頂点の１つとして含む四辺形領域ＱＤを変形させる（ステップＳ１０７）。選択制御点を移動する制御部２０および画像補正部３３が、移動部に相当する。そして、選択制御点を頂点に含む形状に四辺形領域ＱＤを変形する画像補正部３３が、画像補正部に相当する。
【００８０】
画像補正部３３は、変形する前の四辺形領域ＱＤに対応する画像情報を、変形した四辺形領域ＱＤに収まるように補正する（ステップＳ１０８）。制御部２０は、ＯＳＤ処理部３２に指示を出して、変形した四辺形領域ＱＤに対応するように、格子線ＦＲを表示させる（ステップＳ１０９）。そして、ステップＳ１０４に移行する。
【００８１】
方向キーによる選択制御点の調整操作が行われていなければ（ステップＳ１０６：ＮＯ）、制御部２０は、ＥＳＣキーが押下されたか否かを判断する（ステップＳ１１０）。ＥＳＣキーが押下されていなければ（ステップＳ１１０：ＮＯ）、ステップＳ１０４に移行する。ＥＳＣキーが押下されていれば（ステップＳ１１０：ＹＥＳ）、ステップＳ１０１に移行する。
【００８２】
調整する制御点ＣＰが決定されなければ（ステップＳ１０３：ＮＯ）、制御部２０は、方向キーの押下によって、制御点ＣＰの変更がなされたか否かを判断する（ステップＳ１１１）。制御点ＣＰの変更がなされていれば（ステップＳ１１１：ＹＥＳ）、制御点ガイドＰＧＡの位置を変更する（ステップＳ１１２）。そして、ステップＳ１０１に移行する。
【００８３】
制御点ＣＰの変更がなされていなければ（ステップＳ１１１：ＮＯ）、制御部２０は、ＥＳＣキーが押下されたか否かを判断する（ステップＳ１１３）。ＥＳＣキーが押下されていれば（ステップＳ１１３：ＹＥＳ）、制御部２０は、ＯＳＤ処理部３２に指示を出して、制御点選択ＯＳＤ画像ＯＳの表示を消去させる（ステップＳ１１４）。さらに、制御部２０は、ＯＳＤ処理部３２に指示を出して、格子点ＦＲおよび制御点ガイドＰＧＡの表示を消去させる（ステップＳ１１５）。そして、ポイント補正処理を終了する（ステップＳ１１６）。
【００８４】
ＥＳＣキーが押下されていなければ（ステップＳ１１３：ＮＯ）、ステップＳ１０１に移行する。
【００８５】
次に、上述したようなポイント補正が行われた画像について説明する。
図１１は、ポイント補正が行われた画像を示す平面図である。
図１１では、２５個の制御点ＣＰのうちのＣＰ２，ＣＰ３，ＣＰ４，ＣＰ７，ＣＰ８，ＣＰ９，ＣＰ１７，ＣＰ１８，ＣＰ１９，ＣＰ２２，ＣＰ２３，ＣＰ２４がポイント補正された投写画像Ｇ９が表されている。制御点ＣＰ２，ＣＰ３，ＣＰ４，ＣＰ７，ＣＰ８，ＣＰ９は、「Ｖ移動量」がマイナスとなるように移動されている。また、制御点ＣＰ１７，ＣＰ１８，ＣＰ１９，ＣＰ２２，ＣＰ２３，ＣＰ２４は、「Ｖ移動量」がプラスとなるように移動されている。そして、１６個の四辺形領域ＱＤは、矩形から変形された形状となっている。なお、投写画像Ｇ９には、画像の変形状態を明確にするために、格子線および制御点ＣＰを明示している。
【００８６】
例えば、図１のように投写面Ｓが「への字」形状に屈曲している場合には、投写面Ｓに画像を投写しながら、ユーザーが投写画像Ｇ９のようにポイント補正を行うことで、投写面Ｓ上の投写画像の歪を矩形状に補正することができる。
【００８７】
ここで、図１１の投写画像Ｇ９のようにポイント補正が行われたときの液晶ライトバルブ１２Ｒ，１２Ｇ，１２Ｂ上の画素領域について説明する。
図１２は、ポイント補正が行われた液晶ライトバルブ１２Ｒ，１２Ｇ，１２Ｂ上の画素領域を示す平面図である。
【００８８】
図１２には、投写画像Ｇ９の制御点ＣＰ２，ＣＰ３，ＣＰ４，ＣＰ７，ＣＰ８，ＣＰ９，ＣＰ１７，ＣＰ１８，ＣＰ１９，ＣＰ２２，ＣＰ２３，ＣＰ２４に相当する画素領域上のポイントが補正された画素領域Ｐが表されている。画素領域Ｐには、屈曲した形状に歪んだ画像形成領域ＰＧが形成され、この画像形成領域ＰＧに収まるように画像情報が補正されている。ここで、画素領域Ｐ内の画像形成領域ＰＧの外側の領域Ｓ１およびＳ２は、黒色（光をほとんど透過しない状態）となっている。このようなポイント補正がなされると、プロジェクター１からは、画像形成領域ＰＧに収まるように補正され、屈曲した形状の画像が射出される。なお、画像形成領域ＰＧには、画像の変形状態を明確にするために、格子線を明示している。
【００８９】
上述した実施形態によれば、以下の効果が得られる。
（１）プロジェクター１は、画像情報に基づく画像を複数の四辺形領域ＱＤに分割し、四辺形領域ＱＤの辺を格子線ＦＲとして表示する。そして、格子線の交点、即ち四辺形領域ＱＤの各頂点を制御点ＣＲとする。ユーザーは、制御点ＣＲのうちの１つを選択制御点として選択する。ユーザーは、操作受付部２２やリモコン２４に備わる方向キーの操作を行うことで、選択制御点の位置を移動（調整）させる。画像補正部３３は、移動された選択制御点を頂点に含む形状に四辺形領域ＱＤを変形する。さらに、画像補正部３３は、変形前の四辺形領域ＱＤに対応する画像情報を変形後の四辺形領域ＱＤに収まるように補正する。これにより、ユーザーが選択制御点（頂点）を移動させることによって、プロジェクター１は、画像情報を幾何学的に補正して、補正した画像情報に基づいた画像光を投写する。よって、画像情報に基づく画像の幾何学的な形状補正を、プロジェクター単体で行うことが可能になるため、利便性が向上する。また、ユーザーは、投写画像を視認しながら、方向キーによって制御点ＣＰを移動させ、投写画像の形状を補正することができるため、予備知識がなくても、投写画像の形状の補正を容易に行うことが可能になる。
【００９０】
（２）プロジェクター１は、ポイント数設定メニュー画像Ｍ２によって、制御点ＣＰの数を変更することができる。即ち、四辺形領域ＱＤの大きさを変更することができる。これにより、ユーザーは制御点ＣＰの数を所望の数に変更（即ち、四辺形領域ＱＤの大きさを所望の大きさに変更）して、画像情報を幾何学的に補正することができる。つまり、画像情報を変形させる細かさ／粗さを切り替えることができるため、利便性が向上する。
【００９１】
（３）プロジェクター１は、色パターン設定メニュー画像Ｍ３によって、四辺形領域ＱＤの辺（即ち格子線ＦＲ）の表示色を変更することができる。これにより、入力されている画像情報に基づく画像に応じて、格子線ＦＲの表示色を視認性のよい色に変更することが可能となり、有益である。
【００９２】
（４）プロジェクター１において、選択制御点は選択制御点ガイドＰＧＢによって指し示される。選択制御点ガイドＰＧＢは、選択制御点を二重に囲む正方形の形状をしており、制御点ガイドＰＧＡと異なる形状となっている。これにより、ユーザーは制御点ＣＰを選択して、選択制御点が調整可能な状態になったことを認識することが可能になるため、有益である。
【００９３】
（５）プロジェクター１は、ポイント選択画像の表示状態において、選択制御点の選択を促す制御点選択ＯＳＤ画像ＯＳを表示する。これにより、ユーザーは選択制御点を選択する必要性を認識することができる。
【００９４】
（６）プロジェクター１は、ポイント選択画像の表示状態において、選択制御点（即ち選択制御点ガイドＰＧＢが指し示している制御点ＣＰ）に重ならないように、制御点選択ＯＳＤ画像ＯＳの表示位置を変更する。これにより、選択制御点および制御点選択ＯＳＤ画像ＯＳの重複を回避することが可能となり、ユーザーがポイント選択画像において選択制御点を見逃してしまうことを回避できる。
【００９５】
（７）プロジェクター１は、ポイント調整画像の表示状態において、選択制御点の移動調整操作を促す制御点調整ＯＳＤ画像ＯＡを表示する。これにより、ユーザーは選択制御点を移動調整可能なことを認識することができる。
【００９６】
（８）プロジェクター１は、制御点調整ＯＳＤ画像ＯＡが表示されている状態において、四辺形領域ＱＤの頂点および辺（即ち格子線ＦＲ）を非表示にすることができる。これにより、格子状ＦＲの線や点が無い状態で画像情報の幾何学的補正を行うことが可能になる。よって、格子線ＦＲの表示を不要とするユーザーに有益である。
【００９７】
（９）プロジェクター１は、制御点調整ＯＳＤ画像ＯＡが表示されている状態において、ポイント調整画像の背景を画像情報に基づく画像から単色の画像に変更することができる。これにより、ポイント調整画像の表示状態において、格子線ＦＲの視認性を向上することができる。
【００９８】
（１０）プロジェクター１において、制御点調整ＯＳＤ画像ＯＡには、選択制御点の初期位置からの移動量が表示される。これにより、ユーザーは選択制御点をどの程度移動させたのかを認識することができるため、有益である。
【００９９】
なお、上述した実施形態に限定されず、種々の変更や改良等を加えて実施することが可能である。変形例を以下に述べる。
【０１００】
（変形例１）上記実施形態では、ポイント数設定メニュー画像Ｍ２で選択可能な制御点ＣＰの数を「３×３」、「５×５」、または「９×９」としたが、これに限定するものではない。例えば、制御点ＣＰの数を多くした場合には、より細かな補正を行うことが可能になる。
【０１０１】
（変形例２）上記実施形態では、色パターン設定メニュー画像Ｍ３で選択可能な格子線ＦＲの色パターンは「白」、「赤」、「緑」、および「黄」のとしたが、これに限定するものではない。
【０１０２】
（変形例３）上記実施形態では、制御点調整ＯＳＤ画像ＯＡにおいて、移動量情報ＯＡとして、「Ｈ移動量」および「Ｖ移動量」を表示するものとしたが、移動量情報ＯＡは表示しなくてもよい。
【０１０３】
（変形例４）上記実施形態では、ポイント補正時の背景画像は、入力画像または単色としたが、これに限定するものではなく、背景画像として所定のテストパターンを表示してもよい。
【０１０４】
（変形例５）上記実施形態では、制御点調整ＯＳＤ画像ＯＡに、選択制御点の移動可能方向を示す移動方向ガイドＯＡ１１を表示するものとしたが、移動方向ガイドＯＡ１１の各方向を示す三角形の表示色は、移動可能な方向と移動不可能な方向とで色を変更してもよい。こうすれば、ユーザーは、三角形の表示色を視認することによって、その指し示している方向に選択制御点を移動可能か否かについて判断することができるため、利便性が向上する。
【０１０５】
（変形例６）上記実施形態では、ポイント選択画像Ｇ２およびポイント調整画像Ｇ４では、四辺形領域ＱＤの辺として格子線ＦＲを表示しているが、四辺形領域ＱＤの頂点を表示してもよい。
【０１０６】
（変形例７）上記実施形態では、制御点調整ＯＳＤ画像ＯＡに移動量情報ＯＡ１２として、「Ｈ移動量」および「Ｖ移動量」として初期位置からの移動量を表示するものとしたが、画素領域Ｐ上の絶対位置情報を表示してもよい。
【０１０７】
（変形例８）上記実施形態では、光源装置１１は、放電型の光源ランプ１１ａを有して構成されているが、ＬＥＤ（Light Emitting Diode）光源やレーザー等の固体光源や、その他の光源を用いることもできる。
【０１０８】
（変形例９）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【０１０９】
１…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…光源制御部、２２…操作受付部、２３…操作信号受信部、２４…リモコン、３０…画像情報入力部、３１…画像処理部、３２…ＯＳＤ処理部、３３…画像補正部。
【図１】
0005884380.tif 000002
【図２】
0005884380.tif 000003
【図３】
0005884380.tif 000004
【図４】
0005884380.tif 000005
【図５】
0005884380.tif 000006
【図６】
0005884380.tif 000007
【図７】
0005884380.tif 000008
【図８】
0005884380.tif 000009
【図９】
0005884380.tif 000010
【図１０】
0005884380.tif 000011
【図１１】
0005884380.tif 000012
【図１２】
0005884380.tif 000013